(57)【特許請求の範囲】
【請求項１】
対向配設された取付部間にワイヤーを張設する際に用いるワイヤー張設具であって、一方の取付部に設けるワイヤー挟持部と他方の取付部に設けるワイヤー固定部とから成り、前記ワイヤー挟持部は、前記一方の取付部に設けた取付螺子部に螺着する取付ベース部と、この取付ベース部の外周に設けた外周螺子部に螺着するケース部と、このケース部の先端孔からケース部内に挿通するワイヤーの挿通先端部に、挿通後被嵌する複数の可動爪から成る可動爪管とから成り、前記取付ベース部の先端部に突き当たり受部を設け、前記ケース部の挿通部を先細り形状にしてこの挿通部内面にテーパー面を形成して、前記ケース部を前記取付ベース部の外周螺子部に被嵌螺着して前記取付部側へ螺動することで、前記可動爪管の基端が前記突き当たり受部に突き当たり先端孔側へ相対移動し前記テーパー面によって前記各可動爪が内方へ可動して前記ワイヤーを締め付けこのワイヤーが引き抜き不能状態に固定されるように構成し、ワイヤー固定部は、ワイヤーの基端部に設ける抜け止め部と、この抜け止め部に当接しこの抜け止め部を押圧付勢して前記ワイヤーに張りを持たせ得る弾性部と、この弾性部の他端が当接し前記ワイヤーが挿通する挿通孔を有するバネ当接部と、前記抜け止め部、前記弾性部及び前記バネ当接部を収納する反対側ケース部とから成り、基端部に前記抜け止め部を設けたワイヤーを前記弾性部に貫通状態に挿入し、前記弾性部の他端が当接する前記バネ当接部を前記反対側ケース部の内側先端部に設け、この反対側ケース部に設けたバネ当接部に前記ワイヤーを貫通状態に挿入して、前記ワイヤーを前記反対側ケース部より挿通突出する構成とし、前記バネ当接部を、前記反対側ケース部の内側先端部に進退自在に設け、このバネ当接部の進退移動により前記反対側ケース部より挿通突出するワイヤーの長さを調整し得る構成としたことを特徴とするワイヤー張設具。
【請求項２】
前記取付部に取付孔を設け、この取付孔に取付ボルトを挿通して螺子部を取付部より突出状態に設けてこの螺子部を前記取付螺子部とし、この取付螺子部が螺着するベース側螺子孔を前記取付ベース部に設けて、この取付ベース部は前記取付螺子部に前記ベース側螺子孔を被嵌螺着して前記取付部に突出状態に設ける構成としたことを特徴とする請求項１記載のワイヤー張設具。
【請求項３】
前記各可動爪間に前記ワイヤーを挿通配設できる管状体であって、前記各可動爪の基端部を結束して基端部を支点に先端部を内方へ傾倒可動自在に設けて前記可動爪管を構成して、この可動爪管の基端が前記ケース部の螺動によって前記取付ベース部の先端部の突き当たり受部に突き当たることで、前記可動爪管に前記ケース部の前記挿通部内面の前記テーパー面が圧接して前記各可動爪が内方へ傾倒可動し前記ワイヤーに圧着締め付け係止するように構成したことを特徴とする請求項１，２のいずれか１項に記載のワイヤー張設具。
【請求項４】
前記取付部の一側に前記取付螺子部を設け、反対側に反対側取付螺子部設け、この反対側取付螺子部の外周に設けた反対側外周螺子部に螺着する反対側ケース部と、前記ワイヤーの基端部に設けた抜け止め部を抜け止め係止させて、更に、この抜け止め部に当接し、前記ワイヤーが貫通状態となる弾性部を設けて、前記ワイヤーを前記反対側ケース部から挿通突出した後にこの反対側ケース部を前記反対側取付螺子部の前記外周螺子部に被嵌螺着するように構成したことを特徴とする請求項１〜３のいずれか１項に記載のワイヤー張設具。
【請求項５】
前記取付部の前記取付孔に、頭部外周に前記反対側外周螺子部を設けた前記取付ボルトを挿通して、一側に突出した螺子部を前記取付螺子部とし、反対側に突出した前記反対側外周螺子部を設けた頭部を前記反対側取付螺子部とし、この一側の取付螺子部に前記取付ベース部を介して前記ケース部を螺着し、前記反対側取付螺子部に前記反対側ケース部を螺着し、この反対側ケース部に抜け止め状態に挿通した前記ワイヤーの先端部を、対向する取付部に設けた前記ケース部に挿通して前記可動爪管と前記テーパー面とで締付係止固定するように構成したことを特徴とする請求項１〜４のいずれか１項に記載のワイヤー張設具。
【発明の詳細な説明】
【技術分野】
【０００１】
本発明は、手すりや柵などの支柱や壁の間にワイヤーを張設するためのワイヤー張設具に関するものである。
【背景技術】
【０００２】
従来より手すりや柵などにワイヤーを用いたものは多く知られている。これらは支柱間にワイヤーを係止するフックや固定具を取り付け、このフックや固定具を取付けた支柱間にワイヤーを張設するものである。
【０００３】
しかしながら、このようにワイヤーを張設するには、ワイヤー両端部をフックや固定具に止着し、更に、このワイヤーが弛まぬように適度な張りを持たせる必要がある。
【０００４】
このようにワイヤーを張設するには、作業が煩雑になり、容易な作業とは言えない作業内容となっている。
【０００５】
また、この張設したワイヤーは、外部からの力が加わることで弛んだり、ワイヤー自体の張力が経時とともに緩んできて、自然に弛んでくることがあり、この弛んだワイヤーを張り直す場合も、前記作業とほぼ同様の作業を行わなければならない。
【０００６】
また、これらの作業を容易にするために、ターンバックルを用いたワイヤー張設具があるが、このワイヤー張設具は確かに取付けは簡単であるが外観が見劣りして、手すりや柵の品位を下げてしまうことがあり、人目に付くところでの使用は避けられているのが現状である。
【０００７】
また、ワイヤーの一端をワイヤー固定部で固定し、他端をワイヤー挟持部に差し込むだけで、ワイヤーを張設することができるワイヤー張設具もあり、このワイヤー張設具は、ワイヤー挟持部に設けたテーパー面に複数のボール体を設け、このボール体間にワイヤーを挿入すると、このワイヤーに引き抜き方向の力が加わったときに、ボール体がテーパー面によってワイヤーを締め付け挟持し、引き抜き不能にするものであり、このような構成であるため、比較的容易にワイヤーを張設することが可能となっている。
【０００８】
しかし、ワイヤーを強固に挟持するにはボール体をワイヤー径よりも大きくする必要があり、従って、ボール体とワイヤーを収納するケース自体の大きさも大きくなってしまうため、ワイヤー張設具を取付部に取付けた際に、ターンバックルほどではないが、ワイヤー張設具が目立ってしまい、外観を損ねかねない点があり、更に、ワイヤーを保持する強度においてもボール体とワイヤーが点接触であるため接触抵抗が少なく、強度不足という不安な面があった。
【発明の概要】
【発明が解決しようとする課題】
【０００９】
そこで、本発明は、支柱や柵または壁などにワイヤーを容易に張設することができ且つ強固に取付けることができると共に、取付け後の見た目も良いワイヤー張設具を提供することを目的としている。
【課題を解決するための手段】
【００１０】
添付図面を参照して本発明の要旨を説明する。
【００１１】
対向配設された取付部１間にワイヤー７を張設する際に用いるワイヤー張設具であって、一方の取付部１に設けるワイヤー挟持部23と他方の取付部１に設けるワイヤー固定部22とから成り、前記ワイヤー挟持部23は、前記一方の取付部１に設けた取付螺子部２に螺着する取付ベース部３と、この取付ベース部３の外周に設けた外周螺子部４に螺着するケース部５と、このケース部５の先端孔６からケース部５内に挿通するワイヤー７の挿通先端部８に、挿通後被嵌する複数の可動爪９から成る可動爪管10とから成り、前記取付ベース部３の先端部に突き当たり受部11を設け、前記ケース部５の挿通部12を先細り形状にしてこの挿通部12内面にテーパー面13を形成して、前記ケース部５を前記取付ベース部３の外周螺子部４に被嵌螺着して前記取付部１側へ螺動することで、前記可動爪管10の基端が前記突き当たり受部11に突き当たり先端孔６側へ相対移動し前記テーパー面13によって前記各可動爪９が内方へ可動して前記ワイヤー７を締め付けこのワイヤー７が引き抜き不能状態に固定されるように構成し、ワイヤー固定部22は、ワイヤー７の基端部に設ける抜け止め部20と、この抜け止め部20に当接しこの抜け止め部20を押圧付勢して前記ワイヤー７に張りを持たせ得る弾性部21と、この弾性部21の他端が当接し前記ワイヤー７が挿通する挿通孔を有するバネ当接部25と、前記抜け止め部20、前記弾性部21及び前記バネ当接部25を収納する反対側ケース部19とから成り、基端部に前記抜け止め部20を設けたワイヤー７を前記弾性部21に貫通状態に挿入し、前記弾性部21の他端が当接する前記バネ当接部25を前記反対側ケース部19の内側先端部に設け、この反対側ケース部19に設けたバネ当接部25に前記ワイヤー７を貫通状態に挿入して、前記ワイヤー７を前記反対側ケース部19より挿通突出する構成とし、前記バネ当接部25を、前記反対側ケース部19の内側先端部に進退自在に設け、このバネ当接部25の進退移動により前記反対側ケース部19より挿通突出するワイヤー７の長さを調整し得る構成としたことを特徴とするワイヤー張設具に係るものである。
【００１２】
また、前記取付部１に取付孔14を設け、この取付孔14に取付ボルト15を挿通して螺子部を取付部１より突出状態に設けてこの螺子部を前記取付螺子部２とし、この取付螺子部２が螺着するベース側螺子孔16を前記取付ベース部３に設けて、この取付ベース部３は前記取付螺子部２に前記ベース側螺子孔16を被嵌螺着して前記取付部１に突出状態に設ける構成としたことを特徴とする請求項１記載のワイヤー張設具に係るものである。
【００１３】
また、前記各可動爪９間に前記ワイヤー７を挿通配設できる管状体であって、前記各可動爪９の基端部を結束して基端部を支点に先端部を内方へ傾倒可動自在に設けて前記可動爪管10を構成して、この可動爪管10の基端が前記ケース部５の螺動によって前記取付ベース部３の先端部の突き当たり受部11に突き当たることで、前記可動爪管10に前記ケース部５の前記挿通部12内面の前記テーパー面13が圧接して前記各可動爪９が内方へ傾倒可動し前記ワイヤー７に圧着締め付け係止するように構成したことを特徴とする請求項１，２のいずれか１項に記載のワイヤー張設具に係るものである。
【００１４】
また、前記取付部１の一側に前記取付螺子部２を設け、反対側に反対側取付螺子部17設け、この反対側取付螺子部17の外周に設けた反対側外周螺子部18に螺着する反対側ケース部19と、前記ワイヤー７の基端部に設けた抜け止め部20を抜け止め係止させて、更に、この抜け止め部20に当接し、前記ワイヤー７が貫通状態となる弾性部21を設けて、前記ワイヤー７を前記反対側ケース部19から挿通突出した後にこの反対側ケース部19を前記反対側取付螺子部17の前記外周螺子部18に被嵌螺着するように構成したことを特徴とする請求項１〜３のいずれか１項に記載のワイヤー張設具に係るものである。
【００１５】
また、前記取付部１の前記取付孔14に、頭部外周に前記反対側外周螺子部18を設けた前記取付ボルト15を挿通して、一側に突出した螺子部を前記取付螺子部２とし、反対側に突出した前記反対側外周螺子部18を設けた頭部を前記反対側取付螺子部17とし、この一側の取付螺子部２に前記取付ベース部３を介して前記ケース部５を螺着し、前記反対側取付螺子部17に前記反対側ケース部19を螺着し、この反対側ケース部19に抜け止め状態に挿通した前記ワイヤー７の先端部を、対向する取付部１に設けた前記ケース部５に挿通して前記可動爪管10と前記テーパー面13とで締付係止固定するように構成したことを特徴とする請求項１〜４のいずれか１項に記載のワイヤー張設具に係るものである。
【発明の効果】
【００１６】
本発明は上述のように構成したから、ワイヤーの挿通先端部に可動爪管を挿入し、この可動爪管が挿通先端部に位置する状態でケース部内に収め、ケース部を取付ベース部に螺着するだけで、可動爪部がワイヤーを締め付け、引き抜き不能状態に固定するので、容易にワイヤーを張設することができ、更に、ワイヤーを締付け固定する部材を爪状にしたことで、ワイヤーを圧接挟持する面積が多く、より締付強度を向上させると共に、ケース部の径を細くすることが可能となり、外観をすっきりとした形状に仕上げることができ、よって、取付け後の見た目が非常に良い画期的なワイヤー張設具となる。
【００１７】
また、請求項２記載の発明においては、取付ベース部自体が雌螺子部を有し、取付ボルトと螺合可能なので、ナットを用いることなく、取付部に螺着固定でき、部材の削減と共に、取付部との間に隙間を生じることなく本発明を取付けることができ、取付け後の外観を一層向上させる優れたワイヤー張設具となる。
【００１８】
また、請求項３記載の発明においては、簡単な構成で、ワイヤーをより強固に圧着締め付け係止することができる優れたワイヤー張設具となる。
【００１９】
また、請求項４記載の発明においては、取付部に設けた反対側取付螺子部に螺着するだけで容易に取付固定でき、更に、弾性部によって容易にワイヤーに張りを持たせることができる優れたワイヤー張設具となる。
【００２０】
また、請求項５記載の発明においては、取付ボルトが支柱や壁に取付けられ、この取付状態において、一端がケース部、他端が反対側ケース部と螺着する構成となっているので、支柱や壁に雌螺子部を設けることなく、支柱や壁に容易に取付けることができる優れたワイヤー張設具となる。
【図面の簡単な説明】
【００２１】
【図１】本実施例を示す説明断面図である。
【図２】本実施例の取付状態を示す説明断面図である。
【図３】本実施例の取付状態を示す説明断面図である。
【図４】本実施例の取付状態を示す説明断面図である。
【図５】本実施例のワイヤー固定部を示す分解斜視図である。
【図６】本実施例のワイヤー挟持部を示す分解斜視図である。
【図７】本実施例の取り付け状態の一部を示す説明断面図である。
【図８】本実施例のバネ当接部の調整状態を示す説明断面図である。
【図９】本実施例の使用状態を示す説明斜視図である。
【発明を実施するための形態】
【００２２】
好適と考える本発明の実施形態（発明をどのように実施するか）を、図面に基づいて本発明の作用を示して簡単に説明する。
【００２３】
本発明は、取付部１に設けた取付螺子部２に取付ベース部３を螺着し、この取付ベース部３に被嵌螺着するケース部５の先端孔６からワイヤー７を挿入し、この挿入したワイヤー７の挿通先端部８に可動爪管10を取付け、ケース部５内に可動爪管10を収納するようにワイヤー７を引き入れ、この状態のまま取付ベース部３に被嵌螺着することで、ワイヤー７の挿通先端部８に取付けた可動爪管10の基端が取付ベース部３の先端部に設けた突き当たり受部11に突き当たり、ケース部５の先端孔６側に押し込まれると共に、ケース部５の挿通部12内面のテーパー面13により可動爪管10がワイヤー７を締め付け挟持状態となる。
【００２４】
よって、ワイヤー７の挿通先端部８に可動爪管10を取付け、ケース部５を取付ベース部３に螺着するだけで、容易にワイヤー７を取付部１に取付けることができると共に、ワイヤー７を締付け固定する部材を爪状にしたことで、ワイヤー７を圧接挟持する面積が多くなり、ワイヤー７を強固に締め付け、引き抜き不能とすることができることとなる。
【００２５】
しかも、複数の可動爪９でワイヤー７を締め付ける構成としたため、ワイヤー７を締め付け、引き抜き不能にする構成をスペースを要せずに設けることができるので、よって、ケース部５の径をスリムな形状にすることができ、取付部１にワイヤー７を張設したときの外観が見栄えの良いものとなる。
【実施例】
【００２６】
本発明の具体的な実施例について図面に基づいて説明する。
【００２７】
本実施例は、例えば、フェンスの取付部１としての支柱１間にワイヤー７を張設してフェンスを形成する際に用いるワイヤー張設具であり、一支柱１に取付け固定するワイヤー７の基端部に抜け止め部20を設けたワイヤー７を挿入し、このワイヤー７には弾性部21としてのバネ部21が貫通状態で設けられており、このバネ部21と抜け止め部20を収納する反対側ケース部19とで構成するワイヤー固定部22と、対向する他支柱１に取付け固定する反対側ケース部19から挿通突出したワイヤー７の先端部に可動爪管10を設け、この可動爪管10を収納し、取付ベース部３に螺着取付けするケース部５とで構成するワイヤー挟持部23の２体１組で構成している。
【００２８】
具体的には、ワイヤー固定部22は、ワイヤー７の基端部に周鍔24を有する円筒状の抜け止め部20を圧着固定し、ワイヤー７の挿通先端部８側よりバネ部21を貫通状態に挿入し、このバネ部21の一端を抜け止め部20の周鍔24に当接させ、また、バネ部21の他端に当接係止する先端側に雄螺子部を有するバネ当接部25を反対側ケース部の先端内面に設けた雌螺子部に螺着し、このバネ当接部25を設けた反対側ケース部19をワイヤー７の挿通先端部８側より貫通状態に挿入し、バネ部21と抜け止め部20を収納し、支柱１に設けた反対側取付螺子部17に螺着する構成としている。
【００２９】
この反対側ケース部19は、略円筒形で先端側を先細り形状に形成し、この先端側内面には、バネ当接部25を螺着する反対側ケース先端雌螺子部26を設け、基端側には、この反対側ケース部19を反対側取付螺子部17に螺着する際の専用締め付け工具が装着可能な複数の長溝27を設け、また、この基端側の内面に反対側取付螺子部17が螺合する雌螺子部を螺刻し形成している。
【００３０】
この反対側ケース部19内に設けた反対側ケース先端雌螺子部26にバネ当接部25を螺着し、螺入度合いを調整することにより反対側ケース部19より挿通突出するワイヤー７の長さを調整することができる。
【００３１】
具体的には、先端側にバネ当接部25を螺入するほど、反対側ケース部19より挿通突出するワイヤー７は長くなる構成としており、取付け現場にて、ワイヤー７を弛みなく張設するためのワイヤー７長さの微調整をする際にワイヤー７をカットすることなく調整することができることとなる。
【００３２】
更に、反対側ケース部19に収納したバネ部21がワイヤー７の張力を調整すると共に、ワイヤー７に外部からの力が加えられたときに、バネ部21が収縮することでワイヤー７の断線を抑制する役割を担っている。
【００３３】
一方、ワイヤー挟持部23は、反対側ケース部19から挿通突出したワイヤー７の挿通先端部８をケース部５の先端孔６より挿入し貫通させたワイヤー７の挿通先端部８に３体の可動爪９から成る可動爪管10を挿入し取付け、先に挿入したケース部５内にこの可動爪管10を収納するようにケース部５をワイヤー７の挿通先端部８側に移動させ、支柱１に設けた取付螺子部２に螺着する取付ベース部３に螺着する構成としている。
【００３４】
このケース部５は、略円筒形で先端側の挿通部12を先細り形状に形成し、基端側にこのケース部５を取付ベース部３に螺着する際の専用締め付け工具が装着可能な複数の長溝27を設け、また、ケース部５内部は、挿通部12内面にテーパー面13を形成している。
【００３５】
また、可動爪管10は、３体の板状の可動爪９を併せてケース部５内でワイヤーに面接触し得る環状の可動爪管10に形成している。
【００３６】
具体的には、可動爪９は、湾曲した板状のもので、先端側が細っている、例えば、琴爪のような形状に形成しており、更に、この可動爪の内面は、ワイヤーが滑り抜けないように鋸の刃のような刻み目を設け、これら３体の可動爪の基端部を、環状に形成した端部を固定していない伸縮自在の番線28で結束し略環状の可動爪管10となるように構成し、この結束した基端部を支点にして可動爪管10の先端部が内方へ傾倒可動自在に作動することで、ワイヤー７を締め付け挟持可能な構成としている。
【００３７】
この可動爪管10は、ケース部５の挿通部12内面に設けられたテーパー面13によって、ケース部５内にワイヤー７の基端部を挿入した可動爪管10を収納した状態で取付ベース部３に螺着する際に、取付ベース部３の先端部に設けた突き当たり受部11が可動爪管10をケース部５の先端孔６側に押し付けることで圧接状態になり、よって、可動爪管10がワイヤー７を圧着締め付け係止されることとなる。
【００３８】
また、取付ベース部３の先端部には、突き当たり受部11が挿入配設される挿入孔29が設けられ、この挿入孔29に突き当たり受部11が遊挿されている。
【００３９】
この突き当たり受部11を遊挿状態で設けることで、可動爪管10が突き当たり受部11に当接した状態でケース部５を取付ベース部３に螺合した際に、突き当たり受部11が空回りすることで円滑な螺動を行うことができ、がじりの発生を抑制している。
【００４０】
次に本実施例を用いて支柱１間にワイヤー７を張設する際の取付方法を説明する。
【００４１】
隣り合う２体の支柱１の一方側の支柱１の取付孔14に取付ボルト15を挿通し、この取付ボルト15の取付螺子部２に取付ベース部３を螺着し固定し、この一方側の支柱１に取付けた取付ボルト15の反対側取付螺子部17にワイヤー固定部22を取付ける。
【００４２】
この取付ボルト15は、ボルト頭部にも雄螺子を螺刻しており、このボルト頭部が支柱１に設けた取付孔14より径が大きく、挿通止めの機能を持つと共に、反対側ケース部19の基端側に設けた雌螺子部と螺合する反対側取付螺子部17となっている。
【００４３】
従って、上述のようにこの取付ボルト15を支柱１の取付孔14に挿通すると取付孔14の両側に雄螺子部が設けられた状態となり、この雄螺子部が夫々取付螺子部２と反対側取付螺子部17となり、両側から取付ベース部３と反対側ケース部19を螺着することで支柱１を挟持し、支柱１に対して固定した状態となるので、よって、このように取付ボルト15を挿通し、両側から螺着するだけの簡単な取付け作業で取付けることができる。
【００４４】
ワイヤー固定部22の取付けは、ワイヤー７の基端部に抜け止め部20を圧着固定し、この抜け止め部20に当接するバネ部21とワッシャー30をワイヤー７に挿入し、また、反対側ケース部19の先端側内面にバネ当接部25を螺着し、ワイヤー７を反対側ケース部19先端側より挿通突出するように挿入貫通させ、先に設けたバネ部21とワッシャー30と抜け止め部20をこの反対側ケース部19内に収納し反対側取付螺子部17に螺着する。
【００４５】
この際、反対側ケース部19は反対側取付螺子部17を完全に螺入した締め付け状態とせずに、若干の余裕も持たせた状態にしておく。
【００４６】
次に、他方側の支柱１の取付孔14に取付ボルト15を挿通し、この取付ボルト15の取付螺子部２に取付ベース部３を螺着し固定し、この取付ベース部３を含むワイヤー挟持部23を支柱１に取付ける。
【００４７】
このワイヤー挟持部23の取付けは、反対側ケース部19から挿通突出したワイヤー７の先端部にケース部５を先端孔６側より挿入貫通させ、ケース部５を貫通したワイヤー７の挿通先端部８に可動爪管10を挿入し、この可動爪管10がワイヤー７の挿通先端部８に位置した状態のまま取付ベース部３に螺着する。
【００４８】
このケース部５を取付ベース部３に螺着する螺動作用により、取付ベース部３の先端部に設けた突き当たり受部11が可動爪管10を挿通部12内面に設けたテーパー面13に押し込み、この作用によって可動爪管10はワイヤー７を締め付け挟持し、引き抜き不能状態としている。
【００４９】
最後に、ワイヤー固定部22の反対側ケース部19を最後まで締め込みワイヤー７を弛み無く張ることで張設完了となる。
【００５０】
上述のようにして隣り合う２体の支柱１間にワイヤー７を張設することができ、この支柱１が複数ある場合でも、本実施例では、一体の支柱１の一側にワイヤー固定部22を設け、他側にワイヤー挟持部23を設け、この両者を１本の取付ボルト15のみで支柱１を挟持するように取付け固定する構成としているので、複数の支柱１に前述したように設けるだけで、連続してワイヤー７を張設することができ、最後に両端部の支柱１の余った螺子部にキャップを被嵌するだけで良い構成としている。
【００５１】
このように本実施例は、非常に簡単にワイヤー７を張設することができ、しかも、強固に締め付け挟持しているので、使用状態に置いて容易にワイヤー７が弛んでくることも殆ど無く、従って、ワイヤー７を張り直す作業も少なく、仮に、この張り直しが生じた場合でも、張り直しの作業を容易に行うことができ、しかも、取付後の外観も見た目の良いものとなる画期的なワイヤー張設具である。
【００５２】
尚、本発明は、本実施例に限られるものではなく、各構成要件の具体的構成は適宜設計し得るものである。
【符号の説明】
【００５３】
１  取付部
２  取付螺子部
３  取付ベース部
４  外周螺子部
５  ケース部
６  先端孔
７  ワイヤー
８  挿通先端部
９  可動爪
10  可動爪管
11  突き当たり受部
12  挿通部
13  テーパー面
14  取付孔
15  取付ボルト
16  ベース側螺子孔
17  反対側取付螺子部
18  反対側外周螺子部
19  反対側ケース部
20  抜け止め部
21  弾性部
22 ワイヤー固定部
23 ワイヤー挟持部
25 バネ当接部
【図１】
0005411593.tif 000002
【図２】
0005411593.tif 000003
【図３】
0005411593.tif 000004
【図４】
0005411593.tif 000005
【図５】
0005411593.tif 000006
【図６】
0005411593.tif 000007
【図７】
0005411593.tif 000008
【図８】
0005411593.tif 000009
【図９】
0005411593.tif 000010